(57)【特許請求の範囲】
【請求項１】
物理量信号を出力するセンサと、当該物理量信号を入力して物理量情報を出力する信号処理手段と、前記物理量情報を演算し運針パルス情報を算出する演算部と、当該演算部で算出された運針パルス情報に基づきモータ駆動信号を出力する第１モータ駆動回路と、当該第１モータ駆動回路により駆動される第１モータと、当該第１モータによって駆動される検出信号表示針とを備えた指針表示式時計において、
第２モータ駆動回路と、当該第２モータ駆動回路により駆動される第２モータと、当該第２モータによって駆動される最大値表示針とを有し、
前記演算部は前記物理量情報に基づく値の最大値を記憶する最大値記憶手段と、一定時間ごとに入力される前記物理量情報に基づく値と前記最大値記憶手段に記憶された最大値とを比較する比較手段と、前記最大値記憶手段の記憶値を更新する最大値書き換え手段とを備え、
前記比較手段の比較の結果、前記一定時間ごとに入力される物理量情報に基づく値が前記最大値記憶手段に記憶された最大値より大きい場合に、当該最大値書き換え手段が記憶値を更新するとともに、前記演算部が前記第２モータ駆動回路に運針パルス情報を出力することを特徴とする指針表示式時計。
【請求項２】
前記演算部はＲＡＭ、ＲＯＭを備えたマイコンで構成されており、当該ＲＡＭは前記最大値記憶手段を有し、当該ＲＯＭに前記比較手段及び前記最大値書き換え手段がプログラムされていることを特徴とする請求項１記載の指針表示式時計。
【発明の詳細な説明】
【０００１】
【産業上の利用分野】
本発明は、指針式表示装置の最大値表示方式に関するものである。
【０００２】
【従来の技術】
近年、複数のモータを用いて、水深計等のメータ機能を有する指針式表示装置が開発されつつある。該指針式表示装置において水深等の測定値は測定毎に常時表示しているが、測定中の最大値を同時に表示しているものは無く、最大値を知りたいときは測定中に最大値を記憶しておき測定終了後に最大値を呼び出すのが一般的である。
【０００３】
【発明が解決しようとする課題】
しかし、水深計を使用しているダイバーが潜水を終わって浮上する途中、減圧のための停止をしないで海面に浮上することの出来る範囲は潜水深度と潜水時間によって決まっているためこの２つの要素は大変重要である。
本発明の目的は生命の危険に係わるような水深計機能等において、潜水深度と潜水最大値を同時に表示してダイバーが安心して使用できる指針式表示装置を提供するものである。
【０００４】
【課題を解決するための手段】
上記目的を達成するために本発明は、物理量信号を出力するセンサと、当該物理量信号を入力して物理量情報を出力する信号処理手段と、前記物理量情報を演算し運針パルス情報を算出する演算部と、当該演算部で算出された運針パルス情報に基づきモータ駆動信号を出力する第１モータ駆動回路と、当該第１モータ駆動回路により駆動される第１モータと、当該第１モータによって駆動される検出信号表示針とを備えた指針表示式時計において、
第２モータ駆動回路と、当該第２モータ駆動回路により駆動される第２モータと、当該第２モータによって駆動される最大値表示針とを有し、
前記演算部は前記物理量情報に基づく値の最大値を記憶する最大値記憶手段と、一定時間ごとに入力される前記物理量情報に基づく値と前記最大値記憶手段に記憶された最大値とを比較する比較手段と、前記最大値記憶手段の記憶値を更新する最大値書き換え手段とを備え、
前記比較手段の比較の結果、前記一定時間ごとに入力される物理量情報に基づく値が前記最大値記憶手段に記憶された最大値より大きい場合に、当該最大値書き換え手段が記憶値を更新するとともに、前記演算部が前記第２モータ駆動回路に運針パルス情報を出力することを特徴とする。
【０００５】
【実施例】
以下図面により本発明の実施例を説明する。図２は本発明における指針式表示装置の一実施例である水深計付時計を示す平面図である。１は水深計付時計、２はリング上に分の表示目盛が刻まれたレジスタリングである。３は文字板であり、該文字板３の円周部３ａには分の表示目盛が刻まれている。又、後述する水深計の表示単位は分の１目盛当たり１ｍ表示であるため、分の表示目盛が水深計の表示目盛も兼ねている。更に水深計が読み取りやすいように３ｍ、６ｍ、９ｍ位置などに相当する分の表示目盛位置には数値が刻まれている。前記文字板３における水深度の表示は１２時位置（０ｍ目盛位置）から５５分目盛位置（５５ｍ目盛位置）までが表示領域となっており、５５ｍ目盛位置から１２時位置までの領域は水深計測オーバ表示と機能モード表示の領域となっており、文字板３の中心部には時針４、分針５、秒針６の時刻表示針と深度針７及び機能モード針を兼ねた最大深度針８の水深機能表示針が設けられている。
【０００６】
９は小文字板であり、円周部９ａには水深計の表示目盛が０．１ｍ単位で刻まれており、中心部に設けられている副深度針１０は一周毎に１ｍを表示している。尚、前記時針４、分針５、秒針６と前記深度針７、副深度針１０と、最大深度針８とは各々別のモータで駆動されるように構成されている。１１、１２、１３は押しボタン、１４はリューズであり、これらはいずれも修正用の外部操作部材を構成するものである。押しボタン１１は時刻モード、深度アラームセットモード、水深計測モードに切換指定する機能モード切換ボタンであり、該押しボタン１１の操作により前記最大深度針８が前記文字板３の円周部３ａ上で時刻モードを表す”ＥＸ”位置、深度アラームセットモードを表す”ＡＬ”位置及び水深計測モードを表す”１２時（０ｍ）”位置とを切換指示する。
【０００７】
押しボタン１２、１３は各機能モードにおける機能操作を行う外部操作部材であり、時刻モード状態で押しボタン１２を操作することにより、最大深度のメモ呼び出しが行え、前回潜水したときの最大深度の値を最大深度針８が指示し、又、押しボタン１３を操作することにより後述する深度アラーム及び浮上速度警告アラームのサウンドモニータが聞ける。又、深度アラームセットモード状態での押しボタン１２、１３の操作により深度アラームセット値を１ｍ単位で正転、逆転設定が可能であり、このアラームセットによって水深計測モード状態での水深が設定した深度アラームセット値を越えると深度アラームを報知する。浮上速度警告アラームは水深計測モード状態において急激な浮上（例えば１秒間に５ｍ以上）を行ったときに体に悪影響を与えるので報知する。リューズ１４は１段引きでカレンダ、２段引きで時刻の修正を機械的に行い、通常状態では押し込んだ０段引きの位置にある。
【０００８】
図３は図２に示す水深計付時計１の基本構成を示すブロック線図である。２０はマイコン部であり、基本的にはＣＰＵ２０ａ、ＲＡＭ２０ｂ、ＲＯＭ２０ｃ、より構成されている。ＲＯＭ２０ｃにはＣＰＵ２０ａを制御するプログラムが書き込まれており、ＣＰＵ２０ａは該プログラムに従って、後述するスイッチブロック２３からの情報を取り組んだり、後述する不揮発性メモリ２９あるいは、ＲＡＭ２０ｂとの間でデータ授受を行ったりしながら演算処理し、必要に応じて処理したデータにより後述するモータ駆動回路３５、３６、３７に作動信号を出力する。又ＲＡＭ２０ｂは最大値を記憶する最大値記憶手段を有し、ＲＯＭ２０ｃには前記検出信号と最大値記憶手段の記憶値と比較する比較手段、該比較手段の比較信号にしたがって前記検出信号を最大値記憶手段に書き換える為の最大値書き換え手段がプログラムされている。２９は不揮発性メモリであり、水深値を演算するための基準値（０ｍ、５０ｍ）が記憶されている。２１は信号検出手段であるダイヤフラム型半導体よりなる水圧センサであり、水圧の変動に応じて電気的なセンサ信号を出力する。２２は信号処理手段である水圧測定回路であり、周知の増幅回路及びＡーＤ変換回路で構成されており、前記水圧センサ２１からのセンサー信号を入力とし、水深情報Ｐｓを出力する。２４はクロック信号発生用の水晶振動子、２３はスイッチブロックであり、該スイッチブロック２３は図２に示す押しボタン１１、１２、１３、リューズ１４によって制御されるスイッチによって構成されている。
【０００９】
第１モータ駆動回路３５、第２モータ駆動回路３６、第３モータ駆動回路３７はマイコン部２０からの命令に基づき第１モータ２５、第２モータ２６、第３モータ２７を駆動するモータ駆動信号を出力し、第１モータ駆動回路３５は前記時針４、分針５、秒針６が連動した時刻表示装置３０を、第２モータ駆動回路３６は前記深度針７、副深度針１０で構成される水深表示装置３１を、第３モータ駆動回路３７は前記機能モード針を兼ねた最大深度針８を各々独立して駆動する。２８はブザーであり、前記深度アラーム及び浮上速度警告アラームを報知する。
【００１０】
図１は図３に示す水深計付時計１の水深計測モードにおける動作を示すフローチャートである。先ず前記機能モード切換ボタンである押しボタン１１を操作して水深モードを指定（ステップＳ１）する。水深モードが指定されると、マイコン部２０は水圧測定回路２２をＯＮ状態にし、水深測定を開始（ステップＳ２）する。この水深測定は前記マイコン部２０が一定時間毎に行い、水圧センサ２１からのセンサー信号をＡーＤ変換した水深情報Ｐｓを入力して水深値を演算し、且つ水深値を表示するための水深運針パルスＰｓｄを算出する。次に水深値が１メートルより大きいか小さいかの水深判断（ステップ３）を行ない、ＹＥＳの条件が成立すると水深針駆動用モータ作動状態（ステップＳ４）へ進み、ステップＳ２で算出した水深運針パルス数Ｐｓｄをモータ駆動回路３６に出力する。この結果モータ２６はモータ駆動回路３６の出力信号によって駆動され、水深表示装置３１に水深表示（ステップＳ５）を行なう。
【００１１】
次に水深値が最大値記憶手段に記憶されている最大値より大きいか小さいかの比較判断（ステップ６）を行ない、ＹＥＳの条件が成立すると最大値書き換え手段により現水深値を最大値として記憶（ステップＳ７）する。そして最大深度針駆動用モータ作動状態（ステップＳ８）へ進み、ステップＳ２で算出した最大深度運針パルス数Ｐｍｘをモータ駆動回路３７に出力する。この結果モータ２７はモータ駆動回路３７の出力信号によって駆動され、最大深度表示を更新する（ステップＳ９）。又、前記（ステップＳ６）でＮＯの条件が成立すると直接前記（ステップＳ２）の水深測定開始状態に復帰し、次の測定を開始する。即ち（ステップＳ６）で水深値が最大値記憶手段に記憶されている最大値より小さい場合はそのまま水深測定が継続され、大きい場合は最大深度表示を更新し水深測定が継続される。
【００１２】
次に、前記（ステップＳ３）でＮＯの条件が成立すると水深針帰零（ステップＳ１０）状態へ進み、現在水深表示装置３１で水深値を表示している深度針７と副深度針１０との表示位置を０メートルの位置に帰零させると共にモード切換ボタンの操作判定（ステップＳ１１）を行ないＮＯの条件が成立すると前記（ステップＳ２）に復帰して次の水深測定を開始するが、ＹＥＳの条件が成立すると０メートル表示状態において押しボタン１１が操作されたことを判定し、水深測定フローを終了して最大深度針を原点復帰状態（ステップＳ１２）へ駆動し、次の機能モードへ移行する。
【００１３】
【発明の効果】
以上の説明で明らかなように、本発明は指針表示式時計において現在測定値と最大値を同時に表示することが出来るため、生命の危険に係わるような水深計機能等には重要な情報を提供できる。
【図面の簡単な説明】
【図１】本発明の水深計測モードにおける動作を示すフローチャート図である。
【図２】本発明の指針式機能時計の一実施例を示す平面図である。
【図３】本発明の指針式機能時計の基本構成を示すブロック線図である。
【符号の説明】
１  水深計付時計
６    秒針
７  深度針
８  最大深度針
１０    副深度針
２０    マイコン部
２１    水圧センサ
２５、２６、２７    モータ
３１    水深表示装置
３５、３６、３７    モータ駆動回路
【図１】
0003559291.tif 000002
【図２】
0003559291.tif 000003
【図３】
0003559291.tif 000004